【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
方法であって、前記方法は、
１または複数のコンピューティングシステムによって、データ・オブジェクトの生成に応答して、オブジェクト識別子コンポーネントとタイム・スタンプとを有する文書識別子を生成することと；
前記コンピューティングシステムによって、複数のタームプロデューサ・モジュールから１または複数のタームプロデューサ・モジュールを選択することであって、前記選択することは、対応する前記データ・オブジェクトのタイプに少なくとも部分的に基づいていることと；
選択された前記１または複数のタームプロデューサ・モジュールによって、前記データ・オブジェクトに関連する１または複数のタームを生成することであって、タームそれぞれは、前記データ・オブジェクトの１または複数の属性に少なくとも部分的に基づいていることと；
前記コンピューティングシステムによって、１または複数のペアを１または複数のインデックスに出力することであって、前記ペアのそれぞれは、前記文書識別子のうちの１つと、前記タームのうちの１つとからなることと
を有する、方法。
【請求項２】
前記データ・オブジェクトのタイプは、ノードタイプまたは、エッジタイプを有し、
前記エッジタイプは、
ソース・オブジェクト属性に関連した１または複数の生成されたタームと；
宛先オブジェクト属性に関連する１または複数の生成されたタームと
を有する、
請求項１記載の方法。
【請求項３】
前記方法はさらに、
前記コンピューティングシステムによって、１または複数の検索データ・オブジェクトと１または複数の検索属性とを示す検索を受信することと；
前記コンピューティングシステムによって、前記検索に基づき前記データ・オブジェクトを取り出すことと
を有する、請求項１記載の方法。
【請求項４】
前記方法はさらに、前記コンピューティングシステムによって、前記タームプロデューサ・モジュールの１または複数を更新することを有する、
請求項１記載の方法。
【請求項５】
前記タームプロデューサ・モジュールを更新することは、
前記タームプロデューサ・モジュールによって生成された１または複数のタームを追加することと；
前記タームプロデューサ・モジュールによって生成された１または複数のタームを改変することと
のうちの１または複数を有する、
請求項４記載の方法。
【請求項６】
前記タームプロデューサ・モジュールは、前記データ・オブジェクトの前記生成の前に更新される、
請求項４記載の方法。
【請求項７】
１または複数のペアを１または複数のインデックスに出力することは、１または複数のペアを、対応する前記タームを有する既存のインデックス・エントリに出力することを有する、
請求項１記載の方法。
【請求項８】
１または複数のコンピュータ可読媒体であって、組み込まれたソフトウェアが実行されると、
データ・オブジェクトの生成に応答して、オブジェクト識別子コンポーネントとタイム・スタンプとを有する文書識別子を生成することと；
複数のタームプロデューサ・モジュールから１または複数のタームプロデューサ・モジュールを選択することであって、前記選択することは、対応する前記データ・オブジェクトのタイプに少なくとも部分的に基づいていることと；
前記データ・オブジェクトに関連する１または複数のタームを生成することであって、タームそれぞれは、前記データ・オブジェクトの１または複数の属性に少なくとも部分的に基づいていることと；
１または複数のペアを１または複数のインデックスに出力することであって、前記ペアのそれぞれは、前記文書識別子のうちの１つと、前記タームのうちの１つとからなることと
が行われる、１または複数のコンピュータ可読媒体。
【請求項９】
前記データ・オブジェクトのタイプは、ノードタイプまたは、エッジタイプを有し、
前記エッジタイプは、
ソース・オブジェクト属性に関連する１または複数の生成されたタームと；
宛先オブジェクト属性に関連する１または複数の生成されたタームと
を有する、
請求項８記載の媒体。
【請求項１０】
前記ソフトウェアが実行されるとさらに、
１または複数の検索データ・オブジェクトと１または複数の検索属性とを示す検索を受信することと；
前記検索に基づき前記データ・オブジェクトを取り出すことと
が行われる、
請求項８記載の媒体。
【請求項１１】
前記ソフトウェアが実行されるとさらに、
前記タームプロデューサ・モジュールの１または複数を更新すること
が行われる、
請求項８記載の媒体。
【請求項１２】
前記タームプロデューサ・モジュールを更新することは、
前記タームプロデューサ・モジュールによって生成された１または複数のタームを追加することと；
前記タームプロデューサ・モジュールによって生成された１または複数のタームを改変することと
のうちの１または複数を有する、
請求項１１記載の媒体。
【請求項１３】
前記タームプロデューサ・モジュールは、前記データ・オブジェクトの前記生成の前に更新される、
請求項１１記載の媒体。
【請求項１４】
１または複数のペアを１または複数のインデックスに出力することは、１または複数のペアを、対応する前記タームを有する既存のインデックス・エントリに出力することを有する、
請求項８記載の媒体。
【請求項１５】
システムであって、前記システムは、
１または複数のプロセッサと；
前記プロセッサに接続されたメモリと
を備え、前記メモリは、前記プロセッサによって実行可能な命令を有し、
前記命令が実行されると、前記プロセッサが、
データ・オブジェクトの生成に応答して、オブジェクト識別子コンポーネントとタイム・スタンプとを有する文書識別子を生成することと；
複数のタームプロデューサ・モジュールから１または複数のタームプロデューサ・モジュールを選択することであって、前記選択することは、対応する前記データ・オブジェクトのタイプに少なくとも部分的に基づいていることと；
前記データ・オブジェクトに関連する１または複数のタームを生成することであって、タームそれぞれは、前記データ・オブジェクトの１または複数の属性に少なくとも部分的に基づいていることと；
１または複数のペアを１または複数のインデックスに出力することであって、前記ペアのそれぞれは、前記文書識別子のうちの１つと、前記タームのうちの１つとからなることと
が行われるように動作する、システム。
【請求項１６】
前記データ・オブジェクトのタイプは、ノードタイプまたは、エッジタイプを有し、
前記エッジタイプは、
ソース・オブジェクト属性に関連する１または複数の生成されたタームと；
宛先オブジェクト属性に関連する１または複数の生成されたタームと
を有する、
請求項１５記載のシステム。
【請求項１７】
実行されると、ソフトウェアはさらに、
１または複数の検索データ・オブジェクトと１または複数の検索属性とを示す検索を受
信することと；
前記検索に基づき前記データ・オブジェクトを取り出すことと
が行われるように動作する、
請求項１５記載のシステム。
【請求項１８】
実行されると、ソフトウェアはさらに、
前記タームプロデューサ・モジュールの１または複数を更新すること
が行われるように動作する、
請求項１５記載のシステム。
【請求項１９】
前記タームプロデューサ・モジュールを更新することは、
前記タームプロデューサ・モジュールによって生成された１または複数のタームを追加することと；
前記タームプロデューサ・モジュールによって生成された１または複数のタームを改変することと
のうちの１または複数を有する、
請求項１８記載のシステム。
【請求項２０】
前記タームプロデューサ・モジュールは、前記データ・オブジェクトの前記生成の前に更新される、
請求項１８記載のシステム。